(57)【要約】【課題】力の弱い者であっても容易に解体することができ、また、解体後は平面状になる包装用箱を提供する。【解決手段】上面２、底面４、一対の側面６、及び、上面２の端縁から稜線を介して延出された上面外フラップ２８と、底面４の端縁から稜線を介して延出された底面外フラップ２９との重複部分の一部を接合して形成される一対の妻面８を有する形状に折り曲げられ、衛生用紙を収納し得る内部空間が形成された箱状をなすとともに、平面状に解体するための解体用切込線１２が形成された包装用箱１であって、解体用切込線１２が、底面外フラップ２９の端縁上の二点ａ，ｂを起点として底面外フラップ２９と底面４とに亘って形成され、上面外フラップ２８と底面外フラップ２９との重複部分の一部を接合する接合部３０が、解体用切込線１２と底面外フラップ２９の端縁とに囲まれた領域内にのみ形成された包装用箱１。【選択図】図２
2008213890.tif 000002
【特許請求の範囲】
【請求項１】
取出口を有する上面、前記上面と対向する面である底面、一対の側面、及び、前記上面の端縁から稜線を介して延出された上面外フラップと、前記底面の端縁から稜線を介して延出された底面外フラップとの重複部分の一部を接合して形成される一対の妻面を有する形状に折り曲げられ、これらの面によって区画された、衛生用紙を収納し得る内部空間が形成された箱状をなすとともに、平面状に解体するための解体用切込線が形成された包装用箱であって、
前記解体用切込線が、前記底面外フラップの端縁上の二点を起点として前記底面外フラップと前記底面とに亘って形成され、
前記上面外フラップと前記底面外フラップとの重複部分の一部を接合する接合部が、前記解体用切込線と前記底面外フラップの端縁とに囲まれた領域内にのみ形成された包装用箱。
【請求項２】
前記解体用切込線の起点である二点間の長さの割合が、前記底面の端縁の長さに対して、５５〜７５％である請求項１に記載の包装用箱。
【請求項３】
前記解体用切込線の形状が、略Ｖ字状である請求項１または２に記載の包装用箱。
【請求項４】
前記接合部が、一直線状に形成されている請求項１〜３のいずれか一項に記載の包装用箱。
【請求項５】
前記底面外フラップが、妻面接合代を備えており、前記解体用切込線の起点が、前記妻面接合代の両側端に位置する前記請求項１〜４のいずれか一項に記載の包装用箱。
【発明の詳細な説明】
【技術分野】
【０００１】
本発明は包装用箱に関し、更に詳しくは、接合部を剥離することなく、解体が容易な包装用箱に関する。
【背景技術】
【０００２】
一般に、家庭やオフィス等で広く使われているティシュペーパーは、概ね直方体の箱（以下、「カートン」と記す場合がある）の内部空間に収納された形で市販されている。このように箱に収納されたティシュペーパーを使用する際には、箱の一面（通常は箱の上面）に設けられている所定形状のミシン目（取出口形成用切込線）を切り離すことによって、取出口を形成する。そして、ティシュペーパーは、この取出口から引き出されて使用される。
【０００３】
上記カートンは、例えば、取出口が形成される上面と、底面と、一対の側面とを備えており、上記一対の側面の端縁には、それぞれ一対の内フラップが折曲線を介して連接されている。更に、上面と、底面の端縁には、一対の外フラップが折曲線を介して連接されている。そして、これらの一対の外フラップは、その一方の先端部分に一直線状に一定の幅に塗布された接着剤（接合部）によって接合されて形成した妻面を有するものである。そして、上記カートンは、一の外フラップに解体用切込線が形成されているものが知られている（例えば、特許文献１、２）。
【０００４】
カートンに解体用切込線を形成すると、収納されたティッシュペーパーを使い果たした後、両手の指で、外フラップに形成された解体用切込線を押し破り、挿入した指により外フラップを内側から外側に向かって引張ることなどの操作によって、一の外フラップを、他の外フラップ及び／または内フラップから引き剥がすことができるため、使用済みのカートンを容易に解体することができる。そのため、カートンを回収する場合であっても、カートンが解体されているため回収したカートンが嵩張らないという利点がある。
【０００５】
【特許文献１】特開２００２−２９５８０号公報
【特許文献２】特開平８−２５８８７７号公報
【発明の開示】
【発明が解決しようとする課題】
【０００６】
しかしながら、特許文献１のカートンは、一の外フラップを一対の内フラップから引き剥がすためには、上記一の外フラップを強く引っ張ることによって接合部を剥離させなければならず、また、特許文献２のカートンは、解体用切込線が接合部を跨いで形成されているため、解体用切込線を強く押し破らなければならない。従って、例えば、年配者、子供、障害者、女性のような力の弱い者にとっては解体し難いという問題があった。また、特許文献１のカートンの接合部が十分に剥離されていなかったり、特許文献２のカートンの解体用切込線が十分に押し破られていなかったりすると、解体したカートンが平面状にならずに嵩高くなるため、回収したカートンを平面状にするための手間がかかるという問題があった。
【０００７】
本発明は、このような従来技術の有する問題点に鑑みてなされたものであり、いわゆる一条打ちされた糊などにより構成される接合部を備えた包装用箱であって、解体用切込線に沿って破断すると、接合部を剥離することがないため、例えば、年配者、子供、障害者、女性のような力の弱い者であっても、容易に解体することができ、また、解体後は平面状になるため、回収の手間がかからない包装用箱を提供することを課題とする。
【課題を解決するための手段】
【０００８】
本発明者らは上記課題を解決するために鋭意検討した結果、接合部を、所定の形状を有する解体用切込線に囲まれた接合領域には形成し、この接合領域以外には形成しないことによって、上記課題を達成することが可能であることを見出し、本発明を完成するに至った。即ち、本発明によれば、以下に示す包装用箱が提供される。
【０００９】
［１］  取出口を有する上面、前記上面と対向する面である底面、一対の側面、及び、前記上面の端縁から稜線を介して延出された上面外フラップと、前記底面の端縁から稜線を介して延出された底面外フラップとの重複部分の一部を接合して形成される一対の妻面を有する形状に折り曲げられ、これらの面によって区画された、衛生用紙を収納し得る内部空間が形成された箱状をなすとともに、平面状に解体するための解体用切込線が形成された包装用箱であって、前記解体用切込線が、前記底面外フラップの端縁上の二点を起点として前記底面外フラップと前記底面とに亘って形成され、前記上面外フラップと前記底面外フラップとの重複部分の一部を接合する接合部が、前記解体用切込線と前記底面外フラップの端縁とに囲まれた領域（解体用切取部）内にのみ形成された包装用箱。
【００１０】
［２］  前記解体用切込線の起点である二点間の長さの割合が、前記底面の端縁の長さに対して、５５〜７５％である前記［１］に記載の包装用箱。
【００１１】
［３］  前記解体用切込線の形状が、略Ｖ字状である前記［１］または［２］に記載の包装用箱。
【００１２】
［４］  前記接合部が、一直線状に形成されている前記［１］〜［３］のいずれかに記載の包装用箱。
【００１３】
［５］  前記底面外フラップが、妻面接合代を備えており、前記解体用切込線の起点が、前記妻面接合代の両側端に位置する前記［１］〜［４］のいずれかに記載の包装用箱。
【発明の効果】
【００１４】
本発明の包装用箱は、例えば、年配者、子供、障害者、女性のような力の弱い者であっても、容易に解体することができるという効果を奏するものである。また、解体後は平面状になるため、回収の手間がかからないという効果を奏するものである。
【発明を実施するための最良の形態】
【００１５】
以下、本発明を実施するための最良の形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００１６】
［１］包装用箱：
本発明の包装用箱は、例えば、図１〜図３に示す包装用箱１のように、上面２、底面４、一対の側面６、及び、上面２の端縁から稜線（上面−妻面稜線３５）を介して延出された上面外フラップ２８と、底面４の端縁から稜線（底面−妻面稜線３６）を介して延出された底面外フラップ２９との重複部分の一部を接合して形成される一対の妻面８を有する形状に折り曲げられ、これらの面によって区画された、衛生用紙を収納し得る内部空間が形成された箱状をなすとともに、平面状に解体するための解体用切込線１２が形成された包装用箱１であって、解体用切込線１２が、底面外フラップ２９の端縁上の二点ａ，ｂを起点として底面外フラップ２９と底面４とに亘って形成され、上面外フラップ２８と底面外フラップ２９との重複部分の一部を接合する接合部３０が、解体用切込線１２と底面外フラップ２９の端縁とに囲まれた領域（解体用切取部）内にのみ形成されたものである。
【００１７】
「箱状」とは、上面、底面、一対の側面、及び、上面の端縁から稜線を介して延出された上面外フラップと、底面の端縁から稜線を介して延出された底面外フラップとの重複部分の一部を接合して形成される一対の妻面を有する形状に折り曲げられ、これらの面によって区画された、衛生用紙を収納し得る内部空間が形成される形状である。このような形状としては、例えば、直方体状、立方体状等の六面体状を挙げることができる。これらの形状では、上面と底面、一の側面と他の側面、一の妻面と他の妻面が対向するように平行に配置される。また、これらの形状の中では、直方体状が好ましい。例えば、図１〜図３に示す包装用箱１は、その側面６側を長辺、妻面８側を短辺とする直方体状に構成した例である。なお、これらの形状において、二つの面の稜線部分を面取りしたものも、本明細書にいう「箱状」に含まれるものとする。
【００１８】
「妻面」とは、上面の端縁から稜線を介して延出された上面外フラップと、底面の端縁から稜線を介して延出された底面外フラップとの重複部分の一部を接合して形成される面であり、上記上面外フラップと上記底面外フラップとを備えたカートンブランクを、上記上面の端縁の稜線、及び底面の端縁の稜線を介して折り曲げた後に接合して形成することができる。なお、上記上面外フラップ、及び／または上記底面外フラップは、その先端に妻面接合代を備えるものであってもよい。
【００１９】
例えば、図１〜図３に示す包装用箱１は、上面２の端縁から稜線を介して延出された上面外フラップ２８と、底面４の端縁から稜線を介して延出された底面外フラップ２９とを備えるとともに、底面外フラップ２９が、その先端に妻面接合代２９ａを備えた図５に示すカートンブランク１００を、上面２の端縁の稜線、及び底面４の端縁の稜線を介して折り曲げた後に、上面外フラップ２８と底面外フラップ２９（妻面接合代２９ａ）とを接合して一対の妻面８を形成した例である。
【００２０】
［１−１］解体用切込線：
本発明の包装用箱は、底面外フラップの端縁上の二点を起点として底面外フラップと底面とに亘って形成された解体用切込線を備えるものである。上記解体用切込線は、上記条件を満たす切込線である限りその形状などに特に制限はなく、その形状は、例えば、半円状、Ｖ字状、略Ｖ字状、Ｕ字状、コ字状、凸状、または多角形状等を挙げることができる。これらの中でも、略Ｖ字状であることが好ましい。略Ｖ字状というときは、Ｖ字状の鋭角な頂点部分を曲線状に面取りした形状も含む概念を意味するものとし、例えば、図５に示すカートンブランク１００に形成した解体用切込線１２のような「三角おむすび」状などの形状を挙げることができる。なお、「底面外フラップと底面とに亘って形成された」とは、底面とこの底面の端縁から稜線を介して延出された底面外フラップとに跨って一の切込線が形成されていることを意味する。また、「切込線」とは、いくつかの直線または曲線状の切込みが連続的に形成された破線をいう。
【００２１】
また、例えば、図６に示すカートンブランク１０１は、底面４の端縁から稜線を介して延出された底面外フラップ２９とを備えるとともに、底面外フラップ２９が、その先端に妻面接合代２９ａを備え、妻面接合代２９ａの両端を起点ａ，ｂとして底面外フラップ２９と底面４とに亘ってコ字状の解体用切込線１１２を形成した例である。このカートンブランク１０１の所定の部分を折り曲げた後、上面外フラップ２８と底面外フラップ２９（妻面接合代２９ａ）を接合部３０によって接合して一対の妻面８を形成することにより包装用箱を製造することができる。
【００２２】
更に、例えば、図７に示すカートンブランク１０２は、底面４の端縁から稜線を介して延出された底面外フラップ２９とを備えるとともに、底面外フラップ２９が、その先端に妻面接合代２９ａを備え、妻面接合代２９ａの両端を起点ａ，ｂとして底面外フラップ２９と底面４とに亘って凸状の解体用切込線２１２を形成した例である。このカートンブランク１０２の所定の部分を折り曲げた後に、上面外フラップ２８と底面外フラップ２９（妻面接合代２９ａ）を接合部３０によって接合して一対の妻面８を形成することにより包装用箱を製造することができる。
【００２３】
更に、本発明の包装用箱は、例えば、図８に示すカートンブランク１０３を箱状に折り曲げて形成することができる。図８に示すカートンブランク１０３は、略Ｕ字状の解体用切込線３５０として、底面４となる面に形成されて底面４となる面と一の妻面８となる面との稜線３６上における二点ａ、ｂを繋ぐ外側ミシン目３１３と、この外側ミシン目３１３の内側に位置して外側ミシン目３１３の全部に沿うように形成され、そのカット部が、外側ミシン目３１３のカット部よりも短い内側ミシン目３１４と、により構成される二重ミシン目を備えたＵ字状の第一の破断切込線３１２と、底面４となる面と一の妻面８となる面との稜線３６上における上記二点ａ、ｂを起点として一対の底面外フラップ２８の先端縁に達する略ハの字状の第二の破断切込線３５１と、を形成している例である。
【００２４】
更に、本発明の包装用箱は、例えば、図９に示すカートンブランク１０４を箱状に折り曲げて形成することができる。図９に示すカートンブランク１０４は、略Ｖ字状の解体用切込線４５０として、底面４となる面に形成されて底面４となる面と一の妻面８となる面との稜線３６上における二点ａ、ｂを繋ぐ外側ミシン目４１３と、この外側ミシン目４１３の内側に位置して外側ミシン目４１３の全部に沿うように形成され、そのカット部が、外側ミシン目４１３のカット部よりも短い内側ミシン目４１４と、により構成される二重ミシン目を備えた略Ｖ字状の第一の破断切込線４１２と、底面４となる面と一の妻面８となる面との稜線３６上における上記二点ａ、ｂを起点として一対の底面外フラップ２８の先端縁に達する略ハの字状の第二の破断切込線４５１と、を形成している例である。
【００２５】
なお、上記解体用切込線の第一の破断切込線及び／または第二の破断切込線は、いずれも稜線上における二点を起点とするミシン目であり、上記二点の起点は、カット部であってもカット部ではなくても良い。即ち、上記解体用切込線は、上記稜線を跨ぐカット部が形成されたミシン目であってもよいし、上記稜線を回避してカット部を形成したミシン目であってもよいが、上記稜線を回避してカット部を形成したミシン目であることが好ましい。上記稜線を回避してカット部を形成すると、上記解体用切込線を、より容易に押し破ることができる。また、通常、上記稜線となる位置には底面外フラップを上記稜線に沿って容易に折り曲げるための押し罫が形成されている。そして、より容易に底面外フラップを折り曲げることができるという観点から、カット部は、上記押し罫を回避するように形成することが好ましい。
【００２６】
なお、例えば、図１１は、稜線３６となる位置に押し罫１３６を形成し、解体用切込線５０として、上記押し罫１３６を回避して、第一の破断切込線１２のカット部（外側ミシン目１３のカット部１３ａ及び内側ミシン目１４のカット部１４ａ）及び第二の破断切込線５１のカット部を形成したカートンブランクの一部を拡大して示した図である。
【００２７】
なお、上記解体用切込線の起点となる上記底面外フラップの端縁上の二点の位置は、特に制限はなく、例えば、上記底面外フラップの端縁の中央部、一の端点に偏った位置などとすることができる。例えば、図１〜図３に示す包装用箱１は、端縁の中央部から延出する妻面接合代２９ａを有する底面外フラップ２９を備えており、略Ｖ字状の解体用切込線１２の起点ａ，ｂが妻面接合代２９ａの両側端に位置している例である。
【００２８】
解体用切込線の起点である二点間の長さの割合は、底面の端縁の長さに対して、５５〜７５％であることが好ましく、６７〜６９％であることが更に好ましい。５５％未満であると、接合部を形成可能な領域が小さくなりすぎ、上面外フラップと底面外フラップを十分に接合することができなくなるおそれがある。一方、７５％超であると、底面外フラップ及び上面外フラップを十分に接合することが可能になるが、接合に用いる接着剤などの塗布量が多くなるためコストアップとなるおそれがある。例えば、図１〜図３に示す包装用箱１は、解体用切込線１２の起点である二点ａ，ｂ間の長さＤの割合が、底面４の端縁の長さＬに対して、６８％である、図５に示すカートンブランク１００により製造された例である。
【００２９】
また、例えば、底面の端縁に沿って接合部を一直線状に形成した場合、上記接合部の形成方向の長さの割合は、底面の端縁の長さに対して、５５〜７５％であることが好ましく、６７〜６９％であることが更に好ましい。５５％未満であると、接合部を形成可能な領域が小さくなりすぎ、上面外フラップと底面外フラップを十分に接合することができなくなるおそれがある。一方、７５％超であると、底面外フラップ及び上面外フラップを十分に接合することが可能になるが、接合に用いる接着剤などの塗布量が多くなるためコストアップとなるおそれがある。
【００３０】
上記解体用切込線は、包装業界でジッパーと呼称されている切れ目が鉤形に屈曲した開封用破断線（包装産業の周知・慣用技術集第２８１頁参照、昭和５３年１２月２０日特許庁発行）や、二重ミシン目であってもよい。
【００３１】
特に、上記解体用切込線を二重ミシン目により形成する場合、この二重ミシン目を、外側ミシン目とこの外側ミシン目の内側に位置させた内側ミシン目とにより構成し、内側ミシン目は、そのカット部が、外側ミシン目のカット部よりも短くなるように形成することが好ましい。このような構成により、例えば、年配者、子供、障害者、女性のような力の弱い者であっても、容易に切込線（ミシン目）を破断することができ、また、使用者の押込み位置によらず、安定的に綺麗に切込線を破断することができる。
【００３２】
以上のように、解体用切込線は、包装用箱の解体に際し、妻面と底面の切り離しを容易にするものである。即ち、この解体用切込線に従って包装用箱を解体すれば、包装用箱を容易に平面状に展開することができる。そして、解体用切込線を破断する際、接合部（例えば、糊など）を引き剥がすことのない構成とすることによって、更に容易に包装用箱を解体することができる。本発明の包装用箱は、接合部を一直線上に形成（いわゆる、「一条打ち」）した場合に特に有効であり、一条打ちの接合部を有する包装用箱に上記構成の解体用切込線を形成することによって、例えば、年配者、子供、障害者、女性のような力の弱い者であっても更に容易に解体することができる。
【００３３】
なお、本発明の包装用箱の解体用切込線は、上面外フラップと上面に亘って形成してもよいが、底面外フラップと底面とに亘って形成することにより、包装用箱の使用時に誤って上記解体用切込線を破断してしまうおそれがなく、また、外観も良好であるという利点がある。
【００３４】
ここで、上記妻面は、上面外フラップと底面外フラップの接合に使用される糊などの接着剤により構成される接合部により接合されて形成される面である。この接合部は、上面外フラップと底面外フラップとの重複部分の一部を接合するものであり、解体用切込線と底面外フラップの端縁とに囲まれた領域内にのみ形成されたものである。即ち、接合部は、上面外フラップと底面外フラップとの重複部分の一部であり、かつ、解体用切込線と底面外フラップの端縁とに囲まれた領域内に形成されるものである。そして、上記接合部は上記部分に形成されている限り、その形状などは特に制限はない。例えば、一直線状、円弧状、破線状などとすることができる。これらの中でも、一直線状とすることが好ましい。例えば、図１〜図３に示す包装用箱１は、接合部３０が一直線状に形成されている例である。また、例えば、図４に示す包装用箱１１０は、接合部１３０が破線状に形成されている例である。
【００３５】
本発明の包装用箱は、上記接合部と上記解体用切込線とを上記構成とすることに特徴がある。即ち、上記接合部は、上面外フラップと底面外フラップとの重複部分の一部であり、かつ、解体用切込線と底面外フラップの端縁とに囲まれた領域内に形成されるものである。別言すると、解体用切込線は、その起点が、底面外フラップの最も側縁側にある接合部上の二点よりも、底面外フラップの側縁側に位置して形成されているものである。例えば、図３に示す包装用箱１は、底面外フラップ２９の側縁ｆに直交するように一直線状に形成した接合部３０を備え、解体用切込線１２の起点ａ，ｂが、一直線状の接合部３０の両端ｃ，ｄよりも底面外フラップ２９の側縁ｆ側に位置して形成されている例である。
【００３６】
なお、上述のように、接合部は、上面外フラップと底面外フラップとの重複部分の一部に形成されるとともに、解体用切込線と底面外フラップの端縁とに囲まれた領域（解体用切取部）内にのみ形成されたものであることが必要である。本発明の包装用箱は、本発明の効果に影響を与えない限りにおいて、上記接合部以外に、補助的に、上面外フラップと底面外フラップを接合する接着剤を使用することもできる。この接着剤は、上記重複部分であればその形成位置は特に制限はなく、解体用切取部外に形成することもできる。ここで「補助的に」とは、例えば、年配者、子供、障害者、女性のような力の弱い者が包装用箱を解体する場合であっても容易に剥離することができる程度の強度で接合することを意味する。このような接着剤は、上述のように容易に剥離されるものである限りその種類は特に制限はなく、従来公知の接着剤を使用することができる。
【００３７】
ところで、従来の包装用箱は、解体用切込線が接合部を跨いで形成されているため、解体用切込線を破断するためには接合部の一部を剥離する必要があり、例えば、年配者、子供、障害者、女性のような力の弱い者にとっては解体し難いという問題があった。
【００３８】
［１−２］取出口形成用切込線：
「取出口形成用切込線」とは、衛生用紙の取出口の外周形状と一致するように形成された切込線（ミシン目）である。使用者は、この切込線を破断することによって取出口を形成することができ、その取出口から衛生用紙を取り出すことが可能となる。
【００３９】
衛生用紙の取出口の外周形状について特に制限はなく、包装用箱や衛生用紙の形状に応じて適宜選択すればよい。但し、包装用箱は直方体状のものが多く用いられるため、その取出口の形状は包装用箱の長手方向に沿った横長形状とすることが好ましい。従って、取出口の外周形状としては、例えば、略長方形状、略長円形状、長楕円形状、菱形状、または多角形状等の形状を挙げることができる。例えば、図１に示す包装用箱１は、略長方形状の取出口形成用切込線１１が形成されている例である。
【００４０】
取出口形成用切込線は、通常、図１に示す包装用箱１のように、上面２に形成されることが多いが、特にそのような制限があるわけではない。例えば、底面に形成されていてもよいし、他の面に形成されていてもよい。また、取出口形成用切込線は一の面のみに形成されていなければならないわけではなく、二以上の面（例えば、上面と底面）に形成されていてもよい。
【００４１】
なお、取出口形成用切込線によって包囲された部分（切取片となる部分）には、取出口形成用切込線の二点を繋ぐように、引剥がし用切込線が形成されていてもよい。このような切込線を形成することで、切取片の引き剥がしが容易となる利点がある。例えば、図１に示す包装用箱１は、略長方形状の取出口形成用切込線１１の端部側に、略Ｕ字状の引剥がし用切込線１１ａが一対形成されている例である。
【００４２】
［１−３］押上片形成用切込線：
また、本発明の包装用箱には、底面に、一対の押上片を形成するため押上片形成用切込線を形成することもできる。この押上片形成用切込線は、包装用箱に収納された衛生用紙の残量が少なくなった際に、押圧して押し破り、一対の押上片を形成するためのミシン目である。この押上片が箱の内側に折り曲げることによって、箱内部の衛生用紙が上面側に押し上げられるため、上面の取出口から衛生用紙の最後の一枚まで、安定してポップアップさせることが可能である。
【００４３】
上記押上片形成用切込線は、上記条件を満たすものである限り形状、配置などに特に制限はなく、その形状は、例えば、Ｕ字状、コ字状、略コ字状、多角形状などとすることができる。また、包装用箱の底面の位置は、中央部、妻面側に偏った位置、側面に偏った位置などとすることができる。更に、例えば、一対のＵ字状の押上片形成用切込線である場合に、一対のＵ字状の押上片形成用切込線は、その開口を、それぞれいずれの方向に向けて配置してもよい。具体的には、互いに開口を向かい合わせて配置してもよく、互いに近い側の妻面に開口を向けて配置してもよく、また、互いに同じ一の妻面に開口を向けて配置してもよい。例えば、図２に示す包装用箱１は、底面４の中央部に、互いに開口を向かい合わせて、その開口が妻面８を向いて配置されているＵ字状の押上片形成用切込線１３が一対形成された例である。
【００４４】
なお、押上片形成用切込線の開口端を結ぶように押し罫を形成することができる。押し罫を形成することにより、この押し罫に従って（押し罫を基軸として）一対の押上片を容易に包装用箱の内側に折り曲げることができるという利点がある。図２に示す包装用箱１は、Ｕ字状の押上片形成用切込線１３の開口端ｇ，ｈを結ぶように押し罫５２が形成された例である。
【００４５】
なお、本発明の包装用箱は、上記取出口形成用切込線（取出口）を箱の内側から被覆するように配置されて、衛生用紙を取り出すためのスリットが形成されたフィルム材（いわゆる、「ウインドウフィルム」）を備えていてもよいし、ウインドウフィルムを備えていない、いわゆるフィルムレスの包装用箱であってもよい。
【００４６】
本発明の包装用箱は、上面、底面、一対の側面、及び上記一対の妻面によって区画された内部空間が形成される。この内部空間は、例えば、衛生用紙を収納するための空間である。この内部空間に衛生用紙を収納する場合、その種類について特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００４７】
これらの中でも、ティシュペーパー束が好ましく、このティシュペーパー束は、例えば、一のティシュペーパーが折り畳まれ、その折り返し部分に他のティシュペーパーが挟み込まれた状態で折り畳まれることによって、複数枚のティシュペーパーが連続的に積層されたものである。このような積層構造のティシュペーパーは、最上層のティシュペーパーを取り出すことにより、これに挟み込まれていた次層のティシュペーパーの一部が取出口から突出する（いわゆる、「ポップアップ方式」）ため、ティシュペーパーを容易に取り出すことができるという利点がある。
【００４８】
本発明の包装用箱を構成する材質について特に制限はない。但し、シート状の材料を折り曲げ形成により箱状とする都合上、厚紙等の紙材料を構成材料とすることが好ましい。一般に、これらの紙材料としては、例えば、木材パルプ、古紙等を原料として製造されたものを好適に用いることができる。
【００４９】
図１〜図３に示す包装用箱１は、以下のような方法により解体することができる。まず、解体用切込線１２の内側部分（領域）を親指などで押圧して解体用切込線１２を押し破ると、包装用箱１は、図１０に示すような状態になる。即ち、底面４と妻面８とを切断することができる。その後、上面２と底面４とを合わせると、包装用箱１を容易に平面状に展開された状態に解体することができる。
【００５０】
［２］包装用箱の製造方法：
本発明の包装用箱は、例えば、以下の製造方法によって製造することができる。まず、紙材料等を打ち抜くことにより、上面２、底面４、一対の側面６となる面を有し、この上面２の端縁から稜線（上面−妻面稜線３５）を介して延出された上面外フラップ２８と、底面４の端縁から稜線（底面−妻面稜線３６）を介して延出されるとともに、端縁の中央部から延出された妻面接合代２９ａを有する底面外フラップ２９と、底面４の一の側縁から延出された側面接合代３２と、一対の側面６の端縁から延出された一対の内フラップ２６を備える図５に示すカートンブランク１００を用意する。次いで、上記底面外フラップ２９の妻面接合代２９ａの両端ａ，ｂを起点として、底面外フラップ２９と底面４とに亘る略Ｖ字状の解体用切込線１２を形成し、互いに開口を向かい合わせたＵ字状の押上片形成用切込線１３を形成する。更に、上面４となる面に、長楕円形状の取出口形成用切込線１１を形成し、この取出口形成用切込線１１を覆うようにウインドウフィルムを貼り付ける。なお、取出口形成用切込線１１、解体用切込線１２、及び押上片形成用切込線１３の形成順序は特に制限はない。
【００５１】
その後、カートンブランク１００を折り曲げ線に沿って折り曲げ、側面６と底面４の側面接合代３２とを重ね合わせ、その重なり部分を接着剤によって接着することによって妻面８側が開放された角筒状とする。次いで、角筒状のカートンブランクの内部空間に、例えば、衛生用紙が積層された衛生用紙束を装填する。装填後、角筒状のカートンブランクを、一対の内フラップ２６が内側となるように折り曲げ線に沿って折り曲げた後、上面−妻面稜線３５及び底面−妻面稜線３６に沿って折り曲げて、上面外フラップ２８と底面外フラップ２９（妻面接合代２９ａ）とを重ねる。その後、上面外フラップ２８と底面外フラップ２９との重複部分の一部であり、かつ、解体用切込線１２と底面外フラップ２９の端縁とに囲まれた領域内である部分（妻面接合代２９ａ）に接着剤等を一直線状に塗布して接合部３０を形成することによって、一対の妻面８を形成し、本発明の包装用箱１を製造することができる。
【産業上の利用可能性】
【００５２】
本発明の包装用箱は、ティシュペーパー、キッチンペーパー等のペーパータオル、シート状のトイレットペーパー、ワッティング（紙綿）等の衛生用紙を収納するための包装用箱として、好適に用いることができる。
【図面の簡単な説明】
【００５３】
【図１】本発明の包装用箱の一の実施形態を示す斜視図であり、一部を透視した図である。
【図２】本発明の包装用箱の一の実施形態を示す別の斜視図であり、一部を透視した図である。
【図３】本発明の包装用箱の一の実施形態を示す一部平面図であり、妻面を裏面側から見た状態を示す図である。
【図４】本発明の包装用箱の別の実施形態を示す一部平面図であり、妻面を裏面側から見た状態を示す図である。
【図５】本発明の包装用箱の一の実施形態の一例を示す図であり、包装用箱を組み立てる前のカートンブランクの状態の展開図である。
【図６】本発明の包装用箱の別の実施形態の一例を示す図であり、包装用箱を組み立てる前のカートンブランクの状態の展開図である。
【図７】本発明の包装用箱の別の実施形態の一例を示す図であり、包装用箱を組み立てる前のカートンブランクの状態の展開図である。
【図８】本発明の包装用箱の別の実施形態の一例を示す図であり、包装用箱を組み立てる前のカートンブランクの状態の展開図である。
【図９】本発明の包装用箱の別の実施形態の一例を示す図であり、包装用箱を組み立てる前のカートンブランクの状態の展開図である。
【図１０】本発明の包装用箱を解体する工程を示す斜視図である。
【図１１】図５に示すカートンブランクの解体用切込線の部分拡大図である。
【符号の説明】
【００５４】
１，１１０：包装用箱、２：上面、４：底面、６：側面、８：妻面、１１：取出口形成用切込線、１１ａ：引剥がし用切込線、１２，１１２，２１２：解体用切込線、１３：押上片形成用切込線、２６：内フラップ、２８：上面外フラップ、２９：底面外フラップ、２９ａ：妻面接合代、３０，１３０：接合部、３２：側面接合代、３６：底面−妻面稜線、５２：押し罫、１００，１０１，１０２：カートンブランク、１３６：押し罫。
【図１】
2008213890.tif 000003
【図２】
2008213890.tif 000004
【図３】
2008213890.tif 000005
【図４】
2008213890.tif 000006
【図５】
2008213890.tif 000007
【図６】
2008213890.tif 000008
【図７】
2008213890.tif 000009
【図８】
2008213890.tif 000010
【図９】
2008213890.tif 000011
【図１０】
2008213890.tif 000012
【図１１】
2008213890.tif 000013